(57)【要約】【課題】天板１に開設したバーナ用開口２を通して天板の上方に突出するバーナ３と、バーナの上方に位置する中央結合部５１から径方向外方に放射状にのびる複数の五徳爪５２を有する五徳５とを備えるガスコンロにおいて、五徳を正規位相に正確に位置決めできるようにすると共に、五徳が誤セット状態に放置されることも確実に防止できるようにする。【解決手段】天板１上に、各五徳爪５２の着座部５４が天板１の上面より所定距離高い位置で着座する五徳支持部材６が複数配置される。五徳支持部材６に、五徳爪５２の着座部５４に係合して五徳爪５２を位置決めする係合部６４が設けられる。五徳５の中央結合部５１の下面に突起部５６が形成されると共に、バーナ３の上面に、突起部５６の下端に前記所定距離より短い上下方向の間隔を存して対向する頂点を持つ、曲面状又は錘状の凸面部３９が形成される。【選択図】図２
2007218498.tif 000002
【特許請求の範囲】
【請求項１】
天板に開設したバーナ用開口を通して天板の上方に突出するバーナと、バーナの上方に位置する中央結合部から径方向外方に放射状にのびる複数の五徳爪を有する五徳とを備えるガスコンロであって、各五徳爪の径方向外端部に下方にのびる脚部が形成されているものにおいて、
天板上に、各五徳爪の脚部の下端の着座部が天板の上面より所定距離高い位置で着座する五徳支持部材が五徳爪の周方向配置ピッチと同等の周方向間隔を存して複数配置され、
これら五徳支持部材のうちの少なくとも２個の五徳支持部材に、対応する五徳爪の着座部に係合して五徳爪を拘束する係合部が設けられると共に、
五徳の中央結合部の下面に突起部が形成され、バーナの上面に、各五徳爪の着座部が各五徳支持部材に着座した状態で突起部の下端に前記所定距離より短い上下方向の間隔を存して対向する頂点を持つ、曲面状又は錘状の凸面部が形成されていることを特徴とするガスコンロ。
【請求項２】
前記各五徳支持部材は前記バーナに締結され、バーナに、五徳支持部材の締結箇所を上方から覆う傘部が形成され、各五徳支持部材は、傘部の径方向外方に放射状に張り出す、周方向幅が前記各五徳爪の前記着座部の周方向幅に等しい張り出し部を有し、各五徳支持部材の張り出し部の外端部上面に各五徳爪の着座部が着座することを特徴とする請求項１記載のガスコンロ。
【請求項３】
前記バーナ用開口と前記バーナとの間の隙間を閉塞する環状のカバーリングを備え、カバーリング上に前記複数の五徳支持部材を載置した状態で各五徳支持部材がカバーリングと共に前記バーナに共締めされることを特徴とする請求項１又は２記載のガスコンロ。
【発明の詳細な説明】
【技術分野】
【０００１】
本発明は、天板に開設したバーナ用開口を通して天板の上方に突出するバーナと、バーナの上方に位置する中央結合部から径方向外方に放射状にのびる複数の五徳爪を有する五徳とを備えるガスコンロに関する。
【背景技術】
【０００２】
従来、ガスコンロでは、一般的に、天板に着座する環状の五徳枠に複数の五徳爪を取り付けた五徳を用いている。ここで、最近は、ガラス板や金属の厚板から成る天板を用いたガスコンロが流行している。これは、天板の上面がフラットになり、流麗で高級感が得られるためである。このようなガスコンロでは、天板が広範囲に見えるようにしたいが、五徳枠付きの五徳を用いると、五徳枠により天板が部分的に目隠しされてしまう。
【０００３】
そこで、バーナの上方に位置する中央結合部から径方向外方に放射状にのびる複数の五徳爪を有する五徳を用い、各五徳爪の径方向外端部に下方にのびる脚部を形成して、各五徳爪の脚部の下端の着座部において五徳を天板の上面に着座させるようにしたガスコンロも知られている。この五徳は、複数の五徳爪が中央結合部で相互に結合されるため、五徳枠が不要になり、天板が五徳枠に目隠しされることなく広範囲に露出し、体裁が良好になる。
【０００４】
ところで、バーナの周面には多数の炎孔が開設されるが、炎孔に形成される火炎が五徳爪に触れると燃焼不良を生ずるため、バーナの周面に五徳爪の周方向配置ピッチと同等の周方向間隔で無炎孔部や小炎孔部を形成し、火炎が五徳爪に触れることを防止している。然し、五徳爪が無炎孔部や小炎孔部と同一の周方向位置に存する正規位相で五徳をセットしないと、火炎が五徳爪に触れて燃焼不良を生じてしまう。
【０００５】
そこで、中央結合部を有する五徳を用いるガスコンロでは、バーナの上面に、五徳爪の中央結合部寄りの部分の下面に形成した窪み部に係合する突起を形成して、五徳を正規位相に位置決めするようにしている。この場合、窪み部に対する突起の係合を容易にするため、両者間に係合クリアランスを確保する必要があり、このクリアランス分だけ五徳が周方向に動き得る。そして、窪み部は中央結合部寄りの部分に形成されるため、係合クリアランス分の五徳の周方向への動きにより五徳爪の径方向外端寄りの部分は周方向に大きくずれ、無炎孔部や小炎孔部以外の炎孔に形成される火炎が五徳爪に触れてしまう可能性がある。また、五徳爪が突起から周方向に外れた誤セット状態においても、五徳は各五徳爪の着座部において天板上に安定に支持されるため、誤セット状態に気付かずにそのまま放置されてしまう可能性もある。
【０００６】
ところで、五徳枠を有する五徳を用いるガスコンロであるが、天板のバーナ用開口とこれに挿通するバーナとの間の隙間を閉塞する環状のカバーリングの上面外周部に五徳爪の周方向配置ピッチと同等の周方向間隔を存して複数の係合凹部を設け、各五徳爪を各係合凹部に係合させて、五徳を正規位相に位置決めするようにしたものが知られている（例えば、特許文献１参照）。
【０００７】
中央結合部を有する五徳を用いるガスコンロにおいても、カバーリングの上面外周部に設けた各係合凹部に各五徳爪の着座部を係合させて、五徳を正規位相に位置決めすることが考えられる。これによれば、係合凹部が上記したバーナ上面の突起より径方向外方に位置するため、係合凹部に対する着座部の係合クリアランス分の五徳の周方向の動きによる五徳爪の径方向外端寄りの部分の周方向ずれ量が小さく抑えられる。然し、このものでは、各五徳爪の着座部が各係合凹部から周方向に外れた誤セット状態においても、各五徳爪の着座部がバーナリングの上面に着座して五徳が安定に支持されてしまう。その結果、五徳が誤セット状態に放置される可能性は依然として残る。
【特許文献１】特開２００３−２６９７３１号公報
【発明の開示】
【発明が解決しようとする課題】
【０００８】
本発明は、以上の点に鑑み、中央結合部を有する五徳をその径方向外端寄りの部分の周方向ずれ量を可及的に小さく抑えた状態で正規位相に位置決めできるようにすると共に、五徳が誤セット状態に放置されることも確実に防止できるようにしたガスコンロを提供することをその課題としている。
【課題を解決するための手段】
【０００９】
上記課題を解決するために、本発明は、天板に開設したバーナ用開口を通して天板の上方に突出するバーナと、バーナの上方に位置する中央結合部から径方向外方に放射状にのびる複数の五徳爪を有する五徳とを備えるガスコンロであって、各五徳爪の径方向外端部に下方にのびる脚部が形成されているものにおいて、天板上に、各五徳爪の脚部の下端の着座部が天板の上面より所定距離高い位置で着座する五徳支持部材が五徳爪の周方向配置ピッチと同等の周方向間隔を存して複数配置され、これら五徳支持部材のうちの少なくとも２個の五徳支持部材に、対応する五徳爪の着座部に係合して五徳爪を拘束する係合部が設けられると共に、五徳の中央結合部の下面に突起部が形成され、バーナの上面に、各五徳爪の着座部が各五徳支持部材に着座した状態で突起部の下端に前記所定距離より短い上下方向の間隔を存して対向する頂点を持つ、曲面状又は錘状の凸面部が形成されていることを特徴とする。
【００１０】
本発明によれば、各五徳爪の着座部が各五徳支持部材に着座し、且つ、少なくとも２個の五徳支持部材に設けた係合部が対応する２個の五徳爪の着座部に係合するように五徳をセットすると、五徳が正規位相に位置決めされる。そして、係合部は五徳爪の径方向外端寄りに位置する着座部に係合するため、係合部に対する着座部の係合クリアランス分だけ五徳が周方向に動き得るとしても、五徳爪の径方向外端寄りの部分の周方向ずれ量は係合クリアランスにほぼ等しい微少量に抑えられる。
【００１１】
また、五徳が正規位相でセットされている場合は、各五徳爪の着座部が天板の上面より所定距離高い位置に支持されるが、各五徳爪の着座部が各五徳支持部材から周方向に外れた誤セット状態では、各五徳爪の着座部が各五徳支持部材で支持されず、所定距離分だけ落下して天板に着座しようとする。然し、本発明では、五徳の中央結合部の下面に設けた突起部の下端とバーナ上面の凸面部の頂点との間の間隔が上記所定距離より短いため、各五徳爪の着座部が天板に着座する前に、突起部の下端が凸面部に当接して、五徳が凸面部に一点支持されることになる。そのため、五徳の支持が非常に不安定になって五徳が傾き、誤セット状態であることが一目瞭然に分かる。従って、五徳が誤セット状態に放置されることを確実に防止できる。
【００１２】
ところで、本発明において、各五徳支持部材はバーナに締結され、バーナに、五徳支持部材の締結箇所を上方から覆う傘部が形成され、各五徳支持部材は、傘部よりも径方向外方に張り出す、周方向幅が前記各五徳爪の前記着座部の周方向幅に等しい張り出し部を有し、各五徳支持部材の張り出し部の外端部上面に各五徳爪の着座部が着座することが望ましい。これによれば、五徳の位置決め基準となる各五徳支持部材がバーナに直接固定されることになって、五徳がバーナに対し正確に位置決めされる。また、五徳支持部材の締結箇所がバーナの傘部により目隠しされて外観に現われなくなる。更に、各五徳支持部材の張り出し部が傘部と各五徳爪の着座部との間に着座部と等幅で径方向に延在することになり、張り出し部が五徳爪と一体であるような視覚的印象を与えることができ、五徳支持部材の締結箇所が目隠しされることと相俟って、体裁が極めて良好になる。
【００１３】
また、バーナ用開口とバーナとの間の隙間を閉塞する環状のカバーリングを備え、カバーリング上に複数の五徳支持部材を載置した状態で各五徳支持部材をカバーリングと共にバーナに共締めすることが望ましい。これによれば、バーナ用開口とバーナとの間の隙間からコンロ内に煮こぼれ汁が落下することを防止でき、また、五徳支持部材用の締結ねじでカバーリングもバーナに締結でき、部品点数の削減によるコストダウンを図ることができる。
【発明を実施するための最良の形態】
【００１４】
図１、図２を参照して、１はガスコンロの天板を示している。この天板１は、セラミックガラス等のガラス板またはアルミニウム等の金属の厚板で形成されている。天板１には、バーナ用開口２が開設されており、このバーナ用開口２を通してバーナ３が天板１の上方に突出している。
【００１５】
バーナ３は、天板１で覆われるコンロ本体４内に設置する混合管３１と、天板１のバーナ用開口２に挿入される混合管３１の上端部に嵌合して、天板１の上方に突出するバーナボディ３２と、バーナボディ３２上に載置されるバーナヘッド３３とで構成されている。バーナヘッド３３の下面外周部には多数の歯形が垂設されており、これら歯形間の隙間で炎孔３４が形成される。そして、混合管３１からの混合気（燃料ガスと一次空気との混合ガス）がバーナボディ３２を介して炎孔３４から噴出し、噴出した混合気の燃焼で生成される火炎により天板１上の五徳５に載置する被加熱物が加熱される。
【００１６】
五徳５は、バーナ３の上方に位置する中央結合部５１と、この中央結合部５１から径方向外方に放射状にのびる複数（本実施形態では４個）の五徳爪５２とを有する鋳造品である。これら五徳爪５２は中央結合部５１で相互に結合されており、五徳爪５２同士を結合する環状の五徳枠は省略されている。また、各五徳爪５２の径方向外端部には下方にのびる脚部５３が形成され、この脚部５３の下端に径方向内方に舌片状に張り出す着座部５４が形成されている。
【００１７】
ところで、バーナ３の火炎が五徳爪５２に触れると燃焼不良を生ずる。そこで、バーナヘッド３３の周面に、五徳爪５２の周方向配置ピッチと同等の周方向間隔を存して無炎孔部（炎孔３４の無い部分）３５を設けている。そのため、各五徳爪５２が各無炎孔部３５と同一の周方向位置に存する正規位相で五徳５をセットすれば、各五徳爪５２に火炎が触れることを防止できる。
【００１８】
ここで、天板１上には、五徳爪５２の周方向配置ピッチと同等の周方向間隔を存して複数（本実施形態では４個）の五徳支持部材６が配置されており、各五徳爪５２の着座部５４を各五徳支持部材６に着座させたときに、五徳５が上記正規位相になるようにしている。ここで、各五徳支持部材６は、図２、図３に示す如く、バーナ３にねじ６１で締結されている。これによれば、五徳５の位置決め基準となる各五徳支持部材６がバーナ３に直接固定されることになって、五徳５がバーナ３に対し正確に位置決めされる。
【００１９】
これを詳述するに、バーナ３の混合管３１の上端に、バーナボディ３２を嵌合させる筒状の嵌合部３６と、嵌合部３６の周囲の平坦な環状面３７（図２参照）とを形成し、この環状面３７に各五徳支持部材６をねじ６１により締結している。そして、バーナボディ３２に、環状面３７の外径以上の径の傘部３８を形成して、各五徳支持部材６の締結個所を傘部３８により上方から覆い、各五徳支持部材６の締結個所が目隠しされるようにしている。
【００２０】
また、各五徳支持部材６は、バーナ３に対する締結箇所から嵌合部３６の外周面に沿って周方向に所定長のびる円弧状部６２と、円弧状部６２の端部から径方向外方にのびて、傘部３８の径方向外方に放射状に張り出す張り出し部６３とを備えている。そして、張り出し部６３の外端部の上面に各五徳爪５２の着座部５４を天板１の上面より所定距離Ｌだけ高い位置で着座させるようにしている。ここで、各五徳支持部材６の張り出し部６３はバーナ３の各無炎孔部３５と同一の周方向位置に配置されている。そのため、各五徳支持部材６の張り出し部６３に各五徳爪５２の着座部５４を着座させることにより、各五徳爪５２が各無炎孔部３５と同一の周方向位置に存する正規位相で五徳５をセットできる。
【００２１】
尚、五徳支持部材６をバーナ３にねじ６１で締結する際、五徳支持部材６に締め付けトルクが作用するが、この締め付けトルクは円弧状部６２を介して嵌合部３６により受けられる。そのため、締め付けトルクによる五徳支持部材６の動きで張り出し部６３の位置がずれるようなことはない。
【００２２】
また、各五徳支持部材６の張り出し部６３の外端部上面には、各五徳爪５２の着座部５４に形成した孔５５に係合する突起から成る係合部６４が形成されている。かくして、各五徳支持部材６に対し各五徳爪５２が係合部６４により位置ずれしないように拘束され、五徳５が正規位相に位置決めされる。尚、係合部６４は必ずしも全ての五徳支持部材６に形成する必要はなく、少なくとも２個の五徳支持部材６に五徳爪５２の着座部５４に対する係合部６４を形成しておけば、五徳５を正規位相に位置決めできる。
【００２３】
何れにしても、係合部６４は五徳爪５２の径方向外端寄りに位置する着座部５４の孔５５に係合するため、係合部６４に対する孔５５の係合クリアランス分だけ五徳５が周方向に動き得るとしても、五徳爪５２の径方向外端寄りの部分の周方向ずれ量は係合クリアランスにほぼ等しい微少量に抑えられる。従って、五徳爪５２の径方向外端寄りの部分の周方向位置が無炎孔部３５から外れて、これに火炎が触れるようなことは確実に防止される。
【００２４】
また、本実施形態では、各五徳支持部材６の張り出し部６３をその周方向幅が着座部５４の周方向幅と同一になるように形成している。そのため、各五徳支持部材６の張り出し部６３が傘部３８と各五徳爪５２の着座部５４との間に着座部５４と等幅で径方向に延在することになる。従って、張り出し部６３が五徳爪５２と一体であるような視覚的印象を与えることができ、各五徳支持部材６のバーナ３に対する締結箇所が傘部３８により目隠しされることと相俟って、体裁が極めて良好になる。
【００２５】
また、五徳５の中央結合部５１の下面には突起部５６が形成され、バーナ３の上面、即ち、バーナヘッド３３の上面には曲面状の凸面部３９が形成されている。そして、各五徳爪５２の着座部５４が各五徳支持部材６に天板１の上面より所定距離Ｌ高い位置で着座した状態において、凸面部３９の頂点が突起部５６の下端に対し上記所定距離Ｌより短い僅かな上下方向間隔を存して対向するようにしている。
【００２６】
ここで、各五徳爪５２の着座部５４が各五徳支持部材６から周方向に外れた誤セット状態で五徳５がセットされると、各五徳爪５２の着座部５４が各五徳支持部材６で支持されず、上記所定距離Ｌ分だけ落下して天板１に着座しようとする。この場合、本実施形態では、各五徳爪５２の着座部５４が天板１に着座する前に、五徳５の突起部５６の下端が凸面部３９に当接して、五徳５が凸面部３９に一点支持されることになる。そのため、五徳５の支持が非常に不安定になって五徳５が傾き、誤セット状態であることが一目瞭然に分かる。従って、五徳５が誤セット状態に放置されることを確実に防止できる。
【００２７】
また、本実施形態のガスコンロは、バーナ用開口２とバーナ３との間の隙間を閉塞する環状のカバーリング７を備えている。カバーリング７は、図２に示す如く、上下２枚の環状板７１，７２で構成されている。下環状板７２の外周には、径方向外方に突出する板ばね部７３が周方向の間隔を存して複数形成されている。そして、下環状板７２を混合管３１の上端の環状面３７に着座させた状態で天板１をセットすることにより、天板１のバーナ用開口２の周辺部下面に各板ばね部７３が当接するようにしている。ここで、混合管３１は、コンロ本体４内に上下方向の弾力性を持つ支持板４１を介して支持されている。そのため、天板１をセットすると、板ばね部７３から下環状板７２を介して伝達される天板１の重量により混合管３１が沈み込む。
【００２８】
次に、上環状板７１を下環状板７２の上に重ねて載置すると共に、上環状板７１の上面に前記複数の五徳支持部材６を載置した後、五徳支持部材６用の締結ねじ６１を五徳支持部材６と上下の環状板７１，７２とを通して混合管３１にねじ込むことにより、各五徳支持部材６を上下の環状板７１，７２と共に混合管３１に共締めする。これによれば、上環状板７１の外周部が、天板１のバーナ用開口２の周辺部上面に板ばね部７３の付勢力を受けて密着する。そのため、バーナ用開口２とバーナ３との間の隙間からコンロ本体４内に煮こぼれ汁が落下することを防止できる。また、各五徳支持部材６をカバーリング７と共にバーナ３に共締めすることにより、五徳支持部材６用の締結ねじ６１でカバーリング７もバーナ３に締結でき、部品点数の削減によるコストダウンを図ることができる。
【００２９】
尚、本実施形態では、カバーリング７によるシール性をより良好にするため、上環状板７１の外周部の下面に環状のパッキン７４を取り付けている。また、各五徳爪５２をできるだけ径方向外方で位置決めするため、各五徳爪５２の着座部５４が着座する各五徳支持部材６の張り出し部６３の外端部はカバーリング７よりも径方向外方に位置させている。
【００３０】
以上、本発明の実施形態について図面を参照して説明したが、本発明はこれに限らない。例えば、上記実施形態では、バーナ３の上面に曲面状の凸面部３９を形成したが、凸面部３９は円錐や四角錐等の錘状に形成しても良い。また、誤セット状態のときに五徳５が速やかに傾くように、複数の五徳爪５２の一部の五徳爪の重量を他の五徳爪の重量と相違させて、五徳５をアンバラスなものに形成しても良い。
【００３１】
また、上記実施形態では、五徳支持部材６を円弧状部６２を有する屈曲形状に形成しているが、五徳支持部材６の張り出し部６３の径方向内方への延長線上にバーナ３に対する締結部を設けた真直な形状の五徳支持部材を用いることも可能である。更に、カバーリング７を設ける場合は、カバーリング７の外周部に、上方に膨出するボス部を五徳爪５２の周方向配置ピッチと同等の周方向間隔を存して複数形成し、各ボス部に各五徳爪５２の着座部５４を着座させるようにしても良い。この場合、各ボス部で五徳支持部材が構成されることになる。
【００３２】
また、上記実施形態では、五徳支持部材６に、五徳爪５２の着座部５４に形成した孔５５に係合する突起から成る係合部６４を形成したが、着座部５４の下面に突起を形成し、五徳支持部材６にこの突起が係合する孔から成る係合部を形成することも可能である。更に、上記実施形態では、バーナ３に五徳爪５２の周方向配置ピッチと同等の周方向間隔を存して無炎孔部３５を設けたが、無炎孔部３５に代えて、小さな炎孔を形成した小炎孔部を設けても良い。
【００３３】
また、五徳５の複数の五徳爪５２のうちの一部の五徳爪の重量を他の五徳爪の重量と相違させ、誤セット状態のときに五徳５がより傾きやすくなる
【図面の簡単な説明】
【００３４】
【図１】本発明の実施形態のガスコンロの要部の斜視図。
【図２】図１のＩＩ−ＩＩ線で切断した断面図。
【図３】図１のガスコンロのバーナボディと五徳を取り外した状態の斜視図。
【符号の説明】
【００３５】
１…天板、２…バーナ用開口、３…バーナ、３８…傘部、３９…凸面部、５…五徳、５１…中央結合部、５２…五徳爪、５３…脚部、５４…着座部、５６…突起部、６…五徳支持部材、６３…張り出し部、６４…係合部。
【図１】
2007218498.tif 000003
【図２】
2007218498.tif 000004
【図３】
2007218498.tif 000005